(57)【要約】      （修正有）【課題】軽量で、特に運動用途のための望ましい着用快適性の運動靴用アッパーを提供する。【解決手段】アッパー２０５の少なくとも５０％を覆う少なくとも１つのテープ部分２１０を含み、テープは、それらの縁上で互いにジグザグに縫い付けられる。テープ部分２１０は、第１のテープセクション２１０ａおよび第２のテープセクション２１０ｂから構成される。ジグザグで縫い付けられたテープを含むテープ部分２１０は、アッパー２０５の５０％未満を覆うことができる。【選択図】図２Ａ
2018057836.tif 000002
【特許請求の範囲】
【請求項１】
靴用、特に運動靴用のアッパーであって、
ａ．アッパーの少なくとも５０％を覆う少なくとも１つのテープ部分を含み、
ｂ．前記少なくとも１つのテープ部分は、複数の連結されたテープを含む、靴用アッパー。
【請求項２】
前記テープが、次のプロセス：糊付け、溶接、縫い付けのうちの少なくとも１つによって連結され、好ましくは、それらの縁上で互いにジグザグに縫い付けられる、請求項１に記載のアッパー。
【請求項３】
靴用、特に運動靴用のアッパーであって、
ａ．複数の連結されたテープを含む、少なくとも１つのテープ部分を含み、
ｂ．前記テープは、それらの縁上で互いにジグザグに縫い付けられる、靴用アッパー。
【請求項４】
前記少なくとも１つのテープ部分が、アッパーの少なくとも５０％を覆う、請求項３に記載のアッパー。
【請求項５】
各テープが、実質的に平行な縁を含む、請求項１から４のいずれかに記載のアッパー。
【請求項６】
少なくとも２本のテープが、互いに重複する、請求項１から５のいずれかに記載のアッパー。
【請求項７】
前記テープ部分が、前記アッパーの甲部内に延びる、請求項１から６のいずれかに記載のアッパー。
【請求項８】
前記テープ部分が、前記アッパーの内縁からアッパーの外縁まで延びる、請求項１から７のいずれかに記載のアッパー。
【請求項９】
前記テープ部分が、足の下にも延びるように適合される、請求項１から８のいずれかに記載のアッパー。
【請求項１０】
前記少なくとも１つのテープ部分が、前記アッパーのかかと部内に配置される、請求項１から９のいずれかに記載のアッパー。
【請求項１１】
前記テープ部分が、１０°から９０°の間の角度で互いに連結された少なくとも２本のテープを含む、請求項１から１０のいずれかに記載のアッパー。
【請求項１２】
前記テープ部分が、複数の実質的に平行なテープを含む、請求項１から１１のいずれかに記載のアッパー。
【請求項１３】
複数の実質的に平行なテープを備えた第１のテープセクションと、複数の実質的に平行なテープを備えた第２のテープセクションとを含み、前記第１のテープセクションと前記第２のテープセクションとは平行ではない、請求項１２に記載のアッパー。
【請求項１４】
前記複数のテープが、ナイロン、ポリエステル、またはスパンデックス材料を含む、請求項１から１３のいずれかに記載のアッパー。
【請求項１５】
前記テープ部分の前記テープが３０ｍｍから４０ｍｍの幅を有する、請求項１から１４のいずれかに記載のアッパー。
【請求項１６】
前記テープ部分の前記テープが、１〜５ｍｍの厚さを有する、請求項１から１５のいずれかに記載のアッパー。
【請求項１７】
前記テープ部分の少なくとも２本のテープが、異なる弾力性を有する、請求項１から１６のいずれかに記載のアッパー。
【請求項１８】
前記テープ部分の少なくとも１本のテープが、少なくとも１本の隆起線を含む、請求項１から１７のいずれかに記載のアッパー。
【請求項１９】
少なくとも１つのテープ部分が、前記アッパーの内側の四分の一部分内に、前記アッパーの残りの部分と比較して異なる弾力性を提供するように適合される、請求項１から１８のいずれかに記載のアッパー。
【請求項２０】
前記アッパーが、内側ライニングをさらに備える、請求項１から１９のいずれかに記載のアッパー。
【請求項２１】
前記テープ部分の前記テープが、内側ライニングに取り付けられる、請求項２０に記載のアッパー。
【請求項２２】
前記アッパーが外側層をさらに含み、前記外側層は熱可塑性ポリウレタン材料（ＴＰＵ）を含む、請求項１から２１のいずれかに記載のアッパー。
【請求項２３】
前記外側層が０．１ｍｍから１ｍｍの厚さを含む、請求項２２に記載のアッパー。
【請求項２４】
前記外側層を含む前記アッパーの第１の部分が、前記外側層を有しない前記アッパーの第２の部分とは異なる弾力性を提供するように適合される、請求項２２または２３に記載のアッパー。
【請求項２５】
前記アッパーのつま先部内にメッシュ材料をさらに含む、請求項１から２４のいずれかに記載のアッパー。
【請求項２６】
前記アッパーが紐無しである、請求項１から２５のいずれかに記載のアッパー。
【請求項２７】
請求項１から２６のいずれかに記載のアッパーを備える、靴。
【請求項２８】
前記靴が、前足部ボードラスト構造である、請求項２７に記載の靴。
【請求項２９】
前記テープ部分が、前記靴の前足部インソールボードに取り付けられる、請求項２７または２８に記載の靴。
【請求項３０】
前記靴が、透明アウトソールを備える、請求項２７から２９のいずれかに記載の靴。
【発明の詳細な説明】
【技術分野】
【０００１】
本発明は、靴用、特に運動靴用のアッパーに関する。さらに、本発明は、靴に関する。
【背景技術】
【０００２】
靴用アッパーは、一般に、いくつかの機能を提供する。足を受け入れるための筐体を提供することに加えて、アッパーは、運動中に足を安定させ、足を環境から保護し、特定の運動靴の場合には、運動選手の必要性に対して特に適合された表面も提供する。たとえば、サッカー靴は、選手がボールをより良好に制御することを可能にするために高められたグリップ性を提供することができる。別の例では、ラグビー靴は、スクラム中に、改良された硬度特性をアッパーに提供することができる。
【０００３】
アッパーの機能のほとんどは、アッパーの内側の足の向上した安定性を必要とする。足の安定性を向上させる１つのオプションは、アッパーにテープを設けることである。テープが適用されたさまざまなアッパーが、たとえば、中国特許第２０５１６２０５８Ｕ号明細書、米国特許第３５８９０３８号明細書、仏国特許出願公開第２５３６９６４号明細書、中国特許第１７９１３３８号明細書、米国特許第６０８３１８５号明細書、カナダ特許第２４１７１６０Ｃ号明細書、中国特許第１０５２４６３６２号明細書から知られている。この点に関する別の従来技術は、英国特許第１１５６９０７号明細書、カナダ特許第２７７６１１０号明細書、国際公開第２０１４１５２２０２号パンフレット、米国特許第４６１６４３２号明細書、米国特許出願公開第２０１２０２０４４４８号明細書、米国特許第７２０４０４２Ｂ２号明細書および米国特許第９１９８４７９Ｂ２号明細書に開示されている。
【０００４】
欧州特許第０９６０５７８Ｂ１号明細書は、ソールが設けられた成形底部、中空点、かかと受け、外縁、およびアッパーを形成する、クリップまたはベルクロ（登録商標）インサートなどの従来の閉鎖手段が設けられたストラップが中に挿入される一揃えのスロットまたは貫通開口部を使用する靴であって、最初のスロットまたは貫通開口部が、少なくとも１つのセクションにおいて、中空点の下方に配置され、最後のスロットまたは貫通開口部が、かかと受け上に配置され、前記ストラップが、中空点の上方に部分的に配置され、重複配置を有し、それにより、足が、中空点からネック部まで完全に覆われることを特徴とする、靴を開示する。
【０００５】
米国特許第６，５３９，６４７Ｂ２号明細書は、耐衝撃性が高い外側シェル、内側の高密度発泡インサート、硬いつま先キャップ、かかとカップ、インナーソール、アウターソール、および高密度発泡インサートを取り囲む水分発散材料を含む、ヒトの足を有害な負傷から保護するための改良された安全靴を開示する。外側シェルは、足を取り囲んで配置された一揃えの柔軟性インターロッキング摺動バンドを含み、このバンドは、足の下のアウターソールとインナーソールの間に折り畳まれる。
【０００６】
英国特許第７６１，５１９号明細書は、キャンバス、革、または他の非弾性材料の靴アッパーであって、前部において比較的小さいパネルおよびストリップの内側縁によって、および側部および後部において側部から内方向に突出するようにアッパーの上縁に固定されたストリップ上の上方向延長部として形成されたＵ字形ストリップの内縁によって形成された足受け入れ開口部を有する、靴アッパーを開示する。前述の部分は、横断方向に延びる糸ゴムによって、その部分の接合部では厚い糸ゴムによって編まれた、または織られた織物のものである。
【０００７】
しかし、従来技術のアッパーは、軽量ではなく、特に運動用途のための望ましい着用快適性を提供するように適合されていない。通常、アッパーは、しっかりとフィットするが不快であるか、または快適であるが緩いかのどちらかである。運動靴の場合、これは、たとえば、全速力で走るときに、または素早く方向転換をするときに、足の動きの制御の欠如を招き得る。
【先行技術文献】
【特許文献】
【０００８】
【特許文献１】中国特許第２０５１６２０５８Ｕ号明細書
【特許文献２】米国特許第３５８９０３８号明細書
【特許文献３】仏国特許出願公開第２５３６９６４号明細書
【特許文献４】中国特許第１７９１３３８号明細書
【特許文献５】米国特許第６０８３１８５号明細書
【特許文献６】カナダ特許第２４１７１６０Ｃ号明細書
【特許文献７】中国特許第１０５２４６３６２号明細書
【特許文献８】英国特許第１１５６９０７号明細書
【特許文献９】カナダ特許第２７７６１１０号明細書
【特許文献１０】国際公開第２０１４１５２２０２号パンフレット
【特許文献１１】米国特許第４６１６４３２号明細書
【特許文献１２】米国特許出願公開第２０１２０２０４４４８号明細書
【特許文献１３】米国特許第７２０４０４２Ｂ２号明細書
【特許文献１４】米国特許第９１９８４７９Ｂ２号明細書
【特許文献１５】欧州特許第０９６０５７８Ｂ１号明細書
【特許文献１６】米国特許第６，５３９，６４７Ｂ２号明細書
【特許文献１７】英国特許第７６１，５１９号明細書
【発明の概要】
【発明が解決しようとする課題】
【０００９】
したがって、本発明の根本的な課題は、上記で述べた欠点を少なくとも部分的に克服することである。
【課題を解決するための手段】
【００１０】
上記で述べた課題は、靴用、特に運動靴用のアッパーであって、（ａ．）アッパーの少なくとも５０％を覆う少なくとも１つのテープ部分を含み、（ｂ．）少なくとも１つのテープ部分は、複数の連結されたテープを含む、アッパーによって、少なくとも部分的に解決される。
【００１１】
上記で述べた従来技術では、アッパー内の足の向上した安定性は、足を受け入れる開口部分などの、アッパーの小さい部分内のみにテープを含むことによって提供されているが、本発明は、異なる方法に基づく。この方法では、アッパーの少なくとも５０％が、複数の連結されたテープを含む少なくとも１つのテープ部分によって覆われる。本発明者らは、改良された安定特性および十分な着用快適性を同時に達成するには、アッパーの表面のかなりの割合がテープ部分を含む必要があることを見出した。故に、この特徴は、加速、減速、横方向運動などの激しい運動中に、靴の内側の足の安定化をもたらす。この文脈では、テープは、足の表面上にしっかりとフィットし得るように伸張することができるため、従来のアッパー材料より向上した柔軟性を提供することができる。
【００１２】
さらに、テープ同士は連結される。たとえば、各テープが、隣接するテープに恒久的に連結される場合、アッパーは、特にサッカーまたはラグビーなどの運動用途において驚くべき安定特性を提供することができる。複数の連結されたテープは全体として、足用の包帯などの一種の安定かごを形成するように配置し、互いに連結することができ、それにより、軽量であり、望ましい着用快適性を提供する、着用者向けに改良されたアッパーが提供され得る。ここでも、これは、運動靴用のアッパーに特に重要である。その結果、本発明は、激しい足運動にも適した、極めて優れた足の保持力と、極めて優れた快適性とを組み合わせる。
【００１３】
本発明の別の態様によれば、アッパーは、（ａ．）複数の連結されたテープを含む少なくとも１つのテープ部分を備え、（ｂ．）テープは、それらの縁上で互いにジグザグに縫い付けられる。ジグザグ縫い付けは、３点ジグザグ縫い付けでよい。さらに、少なくとも１つのテープ部分は、アッパーの少なくとも５０％を覆うことができる。好ましくは、少なくとも１つのテープ部分は、アッパーの５０％から９０％の間、より好ましくは５０％から７５％の間を覆うことができる。
【００１４】
テープのうちの少なくとも１本が伸張することを防ぐ通常の縫い付けと比較して、少なくとも１つのテープ部分のテープが、いずれのテープの伸張も限定しない可能性をそのようなアッパーが提供し得ることも、本発明者らは見出した。したがって、そのようなアッパーの一層良好な柔軟性を提供することができる。たとえば、このアッパーがサッカー靴に使用される場合、着用者は、ボールでドリブルするときに、少なくとも１つのテープ部分によって妨害されなくなり得る。
【００１５】
以下では、上記で述べた本発明の両方の態様の実施形態が、説明される。
【００１６】
いくつかの実施形態では、各テープは、実質的に平行な縁を含むことができる。この文脈では、「実質的に」とは、靴構造に関連する、製造公差内の程度までを意味する。こうして、そのようなテープは、その平行な縁に沿って互いに連結され得るため、上記で述べた包帯機能をさらに強化することができる。したがって、発生する外部力は、平行な縁上の力線に沿ってより均一に分散されるため、靴の内側において運動中に足の特定部分にかかるいかなる点負荷ももはや存在しない。さらに、実質的に平行な縁を備えたそのようなテープは、より正確に配置することができ、それらの縁を機械によって、たとえばミシンによって連結することができるため、アッパーの製造をさらに容易にすることができる。
【００１７】
いくつかの実施形態では、テープは、次のプロセス：糊付け、縫い付け、溶接のうちの少なくとも１つによって連結され得る。これらの製造技術の各々は、種々の必要性に対して種々の利点をもたらすことができる。たとえば、テープを互いに糊付けすることは、サーフィン靴などのための遮水性のために必要になり得る。別の例では、テープを互いに縫い付けることは、縫い目を容易に補修することができ、コスト効果が高くなり得るため、高磨耗用途に有利である。さらに別の例では、テープを互いに溶接することは、モータースポーツのレースなどの強い力が発生する運動用途に必要となり得、それにより、テープをほとんど非破壊的に連結することができる。
【００１８】
本発明のすべての態様において、テープは、互いにジグザグに縫い付けられ得る。上記で述べたように、そのような縫い付け技術は、テープのうちの少なくとも１つが伸張することを防ぐ通常の縫い付けと比較して、少なくとも１つのテープ部分のテープが、いずれのテープの伸張も限定しない可能性を提供することができる。
【００１９】
少なくとも２本のテープは、互いに重複し得る。そのような実施形態では、糊付け、縫い付け、溶接などの連結プロセスのための連結領域がより大きいため、テープはより良好な互いの連結をもたらすことができる。したがって、各テープ間により強い連結をもたらすことができ、それにより、そのようなアッパーは、着用者に向上した安定性を提供することができる。さらに、重複するテープ、たとえば２本のテープは、互いに交差することができ、足のトルク運動中に、向上した安定性をさらに提供することができる。したがって、そのようなアッパーは、運動用途中に、着用者にさらなる補強をもたらすこともできる。
【００２０】
いくつかの実施形態では、少なくとも１つのテープ部分は、アッパーの甲部内に延び得る。足の甲部は、サッカー選手にとって重要な接触点となるため、そのような実施形態がサッカー選手などの運動選手のスポーツ運動に対して改良されたパフォーマンスを提供し得ることを、本発明者らは見出した。たとえば、サッカー選手がボールをシュートする場合、驚くべき量のエネルギーがボールに伝えられる。したがって、この部分は、そのような実施形態によって達成され得る向上した安定性を提供する必要がある。
【００２１】
少なくとも１つのテープ部分は、アッパーの内縁からアッパーの外縁まで延び得る。さらに、テープ部分は、足の下にも延びるように適合され得る。足をテープ部分で包含することで、テープ部分が足とアッパー材料との間に向上した安定性を提供することができるため、上記で述べた包帯機能をさらに支援することができる。さらに、テープ部分は、足の表面上によりしっかりとフィットすることができるため、着用快適性および足に対する柔軟性も改良することができる。
【００２２】
いくつかの実施形態では、少なくとも１つのテープ部分は、アッパーのかかと部内に配置されてよく、好ましくは、このかかと部を包含する。特に足のかかとは着用者の運動のための別の重要な接触点となるため、テープ部分のそのような配置は、アッパーの内側の足の安定性をさらに向上させることができる。この領域内で安定性を改良するだけで、運動靴用のアッパーの内側のいかなる足の滑りも回避することができる。
【００２３】
少なくとも１つのテープ部分は、１０°から９０°の間の角度で互いに連結された少なくとも２本のテープを含むことができる。そのような実施形態は、発生する力の一様な分散をもたらすために、足の各領域をテープ部分で覆うことができる可能性を提供することができる。たとえば、１本のテープをアッパーのかかと部内に設け、足のかかと領域に固く巻き付けることができ、この場合、複数の他のテープは、アッパーの甲部上を外側から内側まで延び、アッパーのかかと部のテープ部分と連結することができる。したがって、足は、極めてしっかりとフィットした状態で、ほとんど包帯のように巻き付けられ得る。
【００２４】
いくつかの実施形態では、少なくとも１つのテープ部分は、複数の実質的に平行なテープを含むことができる。さらに、テープ部分は、複数の実質的に平行なテープを備えた第１のテープセクションと、複数の実質的に平行なテープを備えた第２のテープセクションとを含むことができ、第１のテープセクションと第２のテープセクションとは、平行ではない。そのようなテープは、より細いテープでより大きいテープ部分をもたらすことができ、それにより、足の長手方向、たとえば甲領域からつま先領域内に発生する力のより良好な分散を実現することができる。さらに、たとえば、複数の実質的に平行なテープを備えた第１のテープセクションがアッパーの甲部内に配置され、複数の実質的に平行なテープを備えた第２のテープセクションが靴アッパーのかかと部内に配置される場合、着用者の足を安定化させるより選択的な方法を提供することができる。
【００２５】
複数のテープは、ナイロン、ポリエステル、またはスパンデックス（spandex）材料を含むことができる。さらに、テープ部分のテープは、３０ｍｍから４０ｍｍ、好ましくは３５ｍｍから４０ｍｍの幅を有することができる。目に見える幅は、重複により、テープの実際の幅とは異なり得る。たとえば、縁に沿って重複するテープは、より狭く見え得る。より具体的な実施形態では、テープ部分のテープは、１〜５ｍｍの厚さを有することができる。テープのそのような材料および寸法は、テープ部分を含むアッパーの改良された安定性と柔軟性との間に良好な折り合いをもたらすことができる。さらに、そのような厚さは、テープ部分を含むアッパーの良好な伸張特性を提供することができる。テープが３Ｄ形状を有する場合、厚さはさらに大きくなり得る。
【００２６】
テープ部分の少なくとも２本のテープは、異なる弾力性を有し得る。たとえば、少なくとも１つの長手方向テープが、少なくとも１本のテープ上に配置されてもよい。長手方向テープは、このテープより狭くなり得る。アッパーの中足部では、長手方向テープは真っ直ぐとすることができ、アッパーの前足部および／またはかかと部では、これらは波形状を含むことができる。追加のテープを別のテープの上部に使用することの代替として、テープは、３Ｄ形状を有することもできる。たとえば、テープ部分の少なくとも１本のテープは、少なくとも１本の隆起線を含むことができる。テープの種々の構造／形状を使用して、テープの種々の特性、たとえば弾力性を作り出すことができる。たとえば、テープの上部の隆起線の数および／または形態を調整することにより、弾力性を容易に適合させることができる。
【００２７】
さらに、少なくとも１つのテープ部分は、アッパーの内側の四分の一部分内に、アッパーの残りの部分と比較して異なる弾力性を提供するように適合され得る。そのような実施形態は、サッカー選手などの運動選手に対して改良されたパフォーマンスを提供し得ることを本発明者らは見出した。たとえば、少なくとも１つのテープ部分が、アッパーの内側の四分の一部分内により小さい弾力性を有し得る場合、アッパーは、足の足首の領域周りにしっかりとフィットすることができ、サッカー選手は靴紐を締めすぎる必要はない。加えて、アッパーの残りの部分は、上記で述べたような安定特性をもたらすために、より大きい弾力性を有することができる。その結果、あざなどの皮膚負傷の可能性を回避することができる。
【００２８】
アッパーは、内側ライニングをさらに備えることができる。さらに、テープ部分のテープは、好ましくはホットメルト層フィルムによって、内側ライニングに取り付けられ得る。たとえば、内側ライニングは、アッパーのテープ部分内の各テープの後方に配置され得る。そのような内側ライニングは、アッパー全体の向上した安定性を提供することができる。したがって、アッパーの包帯機能を改良することができる。
【００２９】
アッパーは、好ましくは熱可塑性ポリウレタン（ＴＰＵ）材料を含む外側層をさらに含むことができる。さらに、外側層は、０．１ｍｍから１ｍｍ、好ましくは０．２０ｍｍから０．４０ｍｍ、より好ましくは０．２５ｍｍから０．３５ｍｍまでの厚さを含むことができる。
【００３０】
いくつかの実施形態では、外側層を含むアッパーの第１の部分は、外側層を有しないアッパーの第２の部分とは異なる弾力性を提供するように適合され得る。そのような実施形態は、異なるテープを使用する代わりに、アッパーの表面上に外側層を置くか、または置かないかだけで、異なる弾力性を有する異なる部分を容易に提供することができる。たとえば、第１の部分は、より高い伸張性および柔軟性をもたらす第２の部分と比較して、より高い安定性を提供するために外側層を含むことができる。したがって、所望の伸張を着用者の必要性に応じて簡単に調整することができる。
【００３１】
アッパーは、つま先領域内にメッシュ材料をさらに含むことができる。たとえば、ポリエステルおよびポリウレタン（ＰＵ）コーティングされた糸から構成されたニットを使用することができる。そのようなメッシュ材料は、向上した安定性のためのかごをアッパーに提供することができる。さらに、メッシュ材料は、通気特性などの靴の他の特性を改良することもできる。
【００３２】
いくつかの実施形態では、アッパーは靴紐無しであってもよい。靴紐を有しないそのようなアッパーは、特に運動用途の場合に、アッパーの内側の着用者の足に驚くべき安定性を提供することができる。
【００３３】
別の態様によれば、本発明は、本発明によるアッパーを備える靴に関する。さらに、靴は、前足部ボードラスト構造（forefoot board lasted）であってもよい。上記で説明したように、テープ部分が着用者の足の寸法にしっかりとフィットすることを可能にするので、そのようなアッパーは、高い安定性、支持力および快適性を着用者に提供する。
【００３４】
いくつかの実施形態では、テープ部分は、靴の前足部インソールボードに取り付けられ、たとえば糊付けされ、または縫い付けられ得る。より具体的な実施形態では、靴は、透明アウトソールを備えることができる。したがって、巻き付けテープを外側から見ることができる。アウトソールは、中足部のみ透明とすることができ、すなわち、アウトソールの他の部分は不透明とすることができる。この目的のために、アウトソールの他の部分は、印刷、たとえば裏面印刷を含むことができる。
【００３５】
本発明の考え得る実施形態は、以下の図を参照して、以下の詳細な説明においてさらに説明される。
【図面の簡単な説明】
【００３６】
【図１Ａ】本発明によるアッパーを含むサッカー靴の考え得る実施形態を示す図である。
【図１Ｂ】本発明によるアッパーを含むサッカー靴の考え得る実施形態を示す図である。
【図２Ａ】本発明の別の態様によるアッパーを含むサッカー靴の考え得る実施形態を示す図である。
【図２Ｂ】本発明の別の態様によるアッパーを含むサッカー靴の考え得る実施形態を示す図である。
【図３Ａ】本発明によるアッパーを含むサッカー靴の考え得る実施形態を示す図である。
【図３Ｂ】本発明によるアッパーを含むサッカー靴の考え得る実施形態を示す図である。
【図４】本発明によるアッパーを含む運動靴の考え得る実施形態を示す図である。
【図５Ａ】本発明によるアッパーの考え得る実施形態を示す図である。
【図５Ｂ】本発明によるアッパーの考え得る実施形態を示す図である。
【発明を実施するための形態】
【００３７】
本発明の考え得る実施形態および変形形態が、以下において、特にアッパー、サッカー靴および運動靴を参照して説明される。しかし、本発明の概念は、バスケットボール、アメリカンフットボール、ラグビー、野球、スノーボード、ランニング、陸上競技などの任意のアッパーまたは運動靴、またはスニーカー、スリッパー、モカシンなどの任意のレジャー靴に同一にまたは同様に適用され得る。
【００３８】
さらに、簡単にするために、限定された数の実施形態のみが以下において説明される。しかし、当業者は、これらの実施形態を参照して説明する具体的な特徴を改変し、異なって組み合わせることができ、具体的な実施形態の特定の態様を省くこともできることを認識するであろう。さらに、後続の詳細な説明に説明する態様を上記の概要の段落で説明した態様と組み合わせることができることが留意される。
【００３９】
図１Ａ〜図１Ｂは、サッカー靴１００の考え得る実施形態を異なる図で示す。サッカー靴１００は、アッパー１０５の少なくとも５０％を覆う少なくとも１つのテープ部分１１０を含むアッパー１０５を備える。図１Ａ〜図１Ｂの例示的な実施形態では、テープ部分１１０は、第１のテープセクション１１０ａおよび第２のテープセクション１１０ｂから構成される。テープ部分１１０は、複数の連結されたテープを含む。図１Ａ〜図１Ｂから分かるように、アッパー１０５は、靴紐無しのものになり得る。しかし、アッパー１０５が靴紐を有し得ることも考えられる。
【００４０】
この出願の文脈では、テープ部分は、アッパー材料の残りの部分と比較して大きな伸張性を提供するために、柔軟性材料から作製する、たとえば織ることができる複数のテープを連結することによって形成され得る。ポリウレタンまたは熱可塑性ポリウレタンポリマーが有効であることが見出されている。しかし、柔軟性があり、限定された伸張特性を有する数多くの他の材料もこのテープの効果的な材料になり得ることを理解されたい。他の例は、例にすぎないが、革、プラスチック、ゴム、メッシュ、または織物を含むことができる。したがって、この柔軟性のあるまたは弾力性のあるテープは、着用者が経験する触感覚、安定性、および快適性レベルを向上させることができる。
【００４１】
本発明に使用されるテープは、５０Ｎの負荷の下、１０３％から１０９％の間で伸張する引っ張り強さを有することができる。しかし、特定の用途向けにこれより大きいまたは小さい伸張を有するテープを使用することが可能である。また、テープの弾力性は、本発明のアッパー上で変化することができる。たとえば、足開口部近くのテープは、足の容易な挿入を可能にするためにより大きい伸張をもたらすことができ、一方で外側および内側のテープは、足のより良好な支持を可能にするためにより小さい伸張を有することができる。
【００４２】
１つの実施形態では、テープは、次のプロセス：糊付け、溶接、縫い付けの少なくとも１つによって連結され得る。これらの製造技術の各々は、種々の必要性に対して種々の利点をもたらすことができる。たとえば、テープを互いに糊付けすることは、サーフィン靴向けなどの遮水性に必要とされ得る。別の例では、テープを互いに縫い付けることは、縫い目を容易に補修することができ、コスト効果が高くなり得るため、高磨耗用途に有利である。さらに別の例では、テープを互いに溶接することは、モータースポーツのレースなどの大きい力が発生する運動用途に必要となり得、それにより、テープをほとんど非破壊的に連結することができる。
【００４３】
図１Ａの実施形態では、アッパー１０５は、側面図で示される。少なくとも１つのテープ部分１１０は、つま先部以外のアッパー１０５全体を覆うことができる。アッパーのつま先部が、さらに、少なくとも１つのテープ部分１１０のテープなどのテープを含むことができることも考えられる。図１Ａから分かるように、テープセクション１１０ａは、４本のテープを含むことができ、これらの各々は、実質的な平行な縁を含む。上記で述べたように、発生する外部の力を平行な縁上で力線に沿ってより均一に分散することができ、それにより、運動靴１００の内側において運動中に足の特定部分にかかるいかなる点負荷ももはや存在しなくなり得る。
【００４４】
さらに、テープセクション１１０ａは、アッパー１０５の甲部内に延びる。テープセクション１１０ａのテープは、互いに交互に重複し、これは図１Ｂでより良好に分かる。さらに、アッパー１０５は、２本のテープを含む別のテープセクション１１０ｂを含み、これらのテープ部分は、アッパー１０５のかかと部内に配置され、好ましくは、足（図１Ａには示さず）の下のかかと部に固く巻き付く。したがって、アッパー１０５のかかと部内のテープセクション１１０ｂは、内縁（図１Ａには示さず）から外縁１２５またはその反対の形で延びることができる。
【００４５】
図１Ａから分かるように、テープセクション１１０ａの１本のテープおよびテープセクション１１０ｂの１本のテープは、点線円に示すように互いに重複する。アッパー１０５のカラー部内の連結されたテープのそのような重複は、足がアッパー１０５内に挿入されたときにテープセクション１１０ａを伸張させることを可能にすることができ、このとき、テープセクション１１０ｂは、テープセクション１１０ａのための係止機構を実現することができる。これに反して、テープセクション１１０ａもまた、たとえばボールをシュートした後、逆パルスによって足が後方に投げ出されたとき、テープ部分１１０のための係止機構を実現することができる。
【００４６】
さらに、テープセクション１１０ａおよび１１０ｂの２本のテープは、１０°から９０°の間、好ましくは約８０°の角度で互いに連結される。アッパー１０５のカラー部内のそのような角度は、着用者、たとえばサッカー選手が、足首用のガードを備えたすね当てを着用しているときに妨害されないことを可能にし得る。追加的にまたは代替的に、アッパー１０５は、さらに、ランニングなどの他の運動用途に向上した安定性を提供するためにアッパー１０５の足首領域内に別のテープセクションを含むことができる。
【００４７】
図１Ａから分かるように、テープセクション１１０ａの４本の外側テープは、実質的に平行であり、テープセクション１１０ｂの２本のテープは、実質的に平行であり、テープセクション１１０ａの４本のテープとテープセクション１１０ｂの２本のテープとは、平行ではない。有利には、そのような配置は、たとえばボールのパス中、足の足首領域からアッパー１０５の外縁および／または内縁までの線に沿って足関節の柔軟性を改良することができる。
【００４８】
１つの実施形態では、テープ部分１１０内の複数のテープは、ナイロン材料を含むことができる。さらに、テープ部分１１０のテープは、３０ｍｍから４０ｍｍ、好ましくは３５ｍｍから４０ｍｍの幅を有することができる。たとえば、テープは、供給元パイホー（Paiho）グループから入手可能な織りテープでよい。さらに、材料はまた、ポリエステルおよび／またはスパンデックスを含むこともできる。加えて、織りテープは、ジャガード織りテープでよい。テープ部分のテープは、これらの上に隆起線を含むことができ、すなわち、３Ｄ構造を有することができる。異なる種類の線、たとえば真っ直ぐ、波形も可能とすることができ、テープの弾力性に選択的に影響を与えることができる。
【００４９】
より具体的な実施形態では、テープ部分１１０のテープは、１から５ｍｍの厚さを有することができる。上記で述べたように、テープ部分１１０のテープのそのような寸法は、アッパー１０５の改良された安定性と柔軟性との間に良好な折り合いをもたらすことができる。さらに、そのような厚さは、テープ部分１１０を含むアッパー１０５の良好な伸張特性を提供することができる。
【００５０】
図１Ｂでは、アッパー１０５は、上面図で示される。ここで分かるように、テープセクション１１０ａは、アッパー１０５の内縁からアッパー１０５の甲部内に延びる３本の別のテープを含む。さらに、アッパー１０５の内縁から延びる３本のテープは、アッパー１０５の外縁１２５から延びる４本のテープと交互に重複する。したがって、上記で述べた包帯機能をそのようなアッパーにおいて提供することができ、驚くべき安定特性を達成することができる。
【００５１】
さらに、アッパー１０５は、かかとストリップ１３０を備える。そのようなかかとストリップ１３０は、さらに、アッパー１０５のかかと部内に十分な安定性を提供するために、テープセクション１１０ｂのテープを係止することができる。
【００５２】
図２Ａ〜図２Ｂは、本発明の別の態様によるアッパー２０５を含むサッカー靴２００の考え得る実施形態を異なる図で示す。サッカー靴２００のアッパー２０５は、図１Ａ〜図１Ｂに示すようなサッカー靴１００のアッパー１０５と同様の特徴を含む。アッパー２０５は、複数の連結されたテープを含む少なくとも１つのテープ部分２１０を含み、テープは、それらの縁上で互いにジグザグに縫い付けられる。図２Ａ〜図２Ｂの例示的な実施形態では、テープ部分２１０は、第１のテープセクション２１０ａおよび第２のテープセクション２１０ｂから構成される。図２Ａ〜図２Ｂから分かるように、アッパー２０５は、靴紐無しのものになり得る。しかし、アッパー２０５が靴紐を有することも考えられる。さらに、アッパー２０５が靴紐を有し得る１つの実施形態では、アッパー２０５は、さらに、アッパー２０５のタン部（tongue part）内に４方向伸張織り材料を含むことができる。
【００５３】
図２Ａでは、アッパー２０５は、上面図で示される。少なくとも１つのテープ部分２１０は、図２Ｂから分かるように、つま先部および下側かかと部以外のアッパー２０５全体を覆う。アッパー２０５のつま先部および下側かかと部が、さらに、少なくとも１つのテープ部分２１０のテープなどのテープを含むことができることも考えられる。また、テープ部分２１０は、図２Ａ〜図２Ｂの実施形態より少なくアッパー２０５を覆うことも考えられる。特に、ジグザグで縫い付けられたテープを含むテープ部分２１０は、アッパー２０５の５０％未満を覆うことができる。
【００５４】
図２Ａから分かるように、テープセクション２１０ａは、６本のテープ、すなわちアッパー２０５の外縁２２５から甲部まで延びる３本と、（図２Ｂに示す）内縁２２７からアッパー２０５の甲部まで延びる３本のテープとを含み、これらの各々は、実質的に平行な縁を含む。ここでも、発生する外部力を平行な縁上の力線に沿ってより均一に分散することができ、それにより、運動靴２００の内側において運動中に足の特定部分にかかるいかなる点負荷ももはや存在しなくなり得る。
【００５５】
テープセクション２１０ｂは、足（図２Ａ〜図２Ｂに示さず）の下のかかと部に固く巻き付く単一テープのみを含む。このテープは、本明細書に説明する縫い付け線に沿って伸張することを可能にするためにジグザグ縫い付けによってテープセクション２１０ａのテープに接合される。
【００５６】
図２Ｂから分かるように、テープセクション２１０ａの中足部内のテープは、テープセクション２１０ｂのテープに対して長手方向に、すなわちその縫い縁に対して垂直に重複することができる。テープセクション２１０ａのテープは、その内側からテープセクション２１０ｂのテープに縫い付けられ得る。この重複は、必要とされる部分において、たとえば靴紐無しのアッパーの中足部においてより高い安定性およびより良好な伸張の制御を可能にすることができる。
【００５７】
さらに、テープセクション２１０ａのテープの一部は、アッパー２０５の中足部内で縫い付け縁に沿って重複することができる。こうして、アッパー２０５のより良好なフィット性およびより高い品質を提供することができる。
【００５８】
図３Ａ〜図３Ｂは、本発明によるアッパー３０５を含むサッカー靴３００の考え得る実施形態を示す。サッカー靴３００のアッパー３０５は、図１Ａ〜図１Ｂおよび図２Ａ〜図２Ｂに示すようなサッカー靴１００および２００のアッパー１０５および２０５と同様の特徴を含む。
【００５９】
図３Ａから分かるように、サッカー靴３００は、内側面図で示される。サッカー靴３００のアッパー３０５は、アッパー３０５の内縁からアッパー３０５の甲部内に延びる４本のテープと、アッパー３０５の外縁（図３Ａに示さず）からアッパー３０５の甲部内に延びる２本のテープと、アッパー３０５のかかと部内の２本のテープとを含むテープ部分３１０を含む。
【００６０】
さらに、アッパー３０５は、アッパー３０５のつま先部３４０内にメッシュ材料を含む。メッシュ材料は、ポリエステルから構成されたニットである「エックステックス（Xtex）」と呼ばれる材料を含む。エックステックス材料は、ＰＵコーティングされた糸を有することもできる。上記で述べたように、そのようなつま先部３４０は、コーティングされないエックステックス材料を使用するとき、通気特性などのサッカー靴３００の他の特性を改良することができる。
【００６１】
１つの実施形態では、サッカー靴３００は前足部ラスト構造のものでよく、射出成形された半インソールボードを使用することができる。上記で説明したように、そのようなアッパーは、テープ部分３１０が着用者の足の寸法にしっかりとフィットすることを可能にするため、着用者に高い安定性、支持力および快適性を提供する。
【００６２】
さらに、アッパー３０５は、内側ライニング（図３Ａ〜図３Ｂには示さず）を備えることができる。さらに、テープ部分３１０のテープは、好ましくはホットメルト層フィルムによって内側ライニングに取り付けられ得る。たとえば、内側ライニングは、スエード材料を含むことができ、アッパー３０５のテープ部分３１０内において各テープの後方に配置され得る。上記で述べたように、そのような内側ライニングは、アッパー３０５全体の向上した安定性を提供することができる。
【００６３】
１つの実施形態では、アッパー３０５は、内側ライニングとテープ部分３１０のテープとの間に発砲材料を含むことができる。そのような発砲材料、たとえば発砲ポリマーは、スノーボード用のソフトブーツなどの冬用途に合わせて改良されたクッション性および／または断熱性をもたらすために、内側ライニングとテープ部分のテープとの間の空間を充填することができる。
【００６４】
さらに、アッパーは、好ましくは熱可塑性ポリウレタン（ＴＰＵ）材料を含む外側層（図３Ａ〜図３Ｂには示さず）をさらに含むことができる。さらに、外側層は、０．１ｍｍから１ｍｍ、好ましくは０．２０ｍｍから０．４０ｍｍ、より好ましくは０．２５ｍｍから０．３５ｍｍの厚さを含むことができる。
【００６５】
さらに、外側層を含むアッパー３０５の第１の部分、たとえばストライプを有するテープは、外側層を有しないアッパー３０５の、第２の部分、たとえばかかと部内のテープとは異なる弾力性を提供するように適合され得る。こうして、異なる弾力性を異なるテープ部分内に容易に提供することができ、したがって、所望の伸張を着用者の必要性に応じて簡単に調整することができる。
【００６６】
図３Ｂから分かるように、サッカー靴３００は、底面図で示される。サッカー靴３００は、透明ソール３０７を含み、この場合、かかと部および前足部内では、アウトソールプレートは透明でなくてよい。さらに、テープ部分３１０は、足に包帯のように巻き付けることができるようにアッパー３０５全体を包含する。こうして、アッパー３０５の安定特性をさらに向上させることができる。追加的にまたは代替的には、いくつかのテープを互いに重複させることができ、それにより、包帯機能をさらに向上させることができる。
【００６７】
図４は、本発明によるアッパー４０５を含む運動靴４００の考え得る実施形態を示す。運動靴４００のアッパー４０５は、アッパー４０５の外縁からアッパー４０５の甲部内に延びる４本のテープと、アッパー４０５のかかと部内の２本のテープとを含むテープ部分４１０を含む。さらに、運動靴４００のアッパー４０５は、図１Ａ〜図１Ｂ、図２Ａ〜図２Ｂ、および図３Ａ〜図３Ｂそれぞれに示すようなサッカー靴１００、２００、および３００それぞれのアッパー１０５、２０５、および３０５と同様の特徴を含む。
【００６８】
さらに、アッパー４０５は、ランダムに配置された複数の膨張粒子を含むソール４５０を含む。これらの粒子は、膨張熱可塑性ポリウレタンなどの膨張材料から作製され得る。また、任意の他の適切な材料を使用し得ることも考えられる。さらに、膨張粒子は、ランダムに配置され、または金型の内側に特定のパターンを有して配置され得る。
【００６９】
さらに、運動靴４００は、前足部ボードラスト構造、またはシュトローベル（strobel）ラスト構造などのボードラスト構造のものになり得る。
【００７０】
図４から分かるように、アッパー４０５は、アッパー４０５のつま先部内に、テープ部分４１０の別のテープをさらに含む。さらに、アッパー４０５は、アッパー４０５の下側かかと部内にかかと支持要素４６０を備える。追加的に、または代替的に、かかと支持要素は、アッパー４０５のかかと部全体を包含することができる。
【００７１】
図５Ａ〜図５Ｂは、アッパー５０５が三次元アッパーに形成される前の、本開示によるアッパー５０５の考え得る実施形態を二次元図で示す。図５Ａは、アッパー５０５の前面図を表し、一方で図５Ｂは、アッパー５０５の後面図を表す。アッパー５０５は、図１Ａ〜図１Ｂ、図２Ａ〜図２Ｂ、図３Ａ〜図３Ｂおよび図４それぞれに示すように、アッパー１０５、２０５、３０５、および４０５と同様の特徴を含む。
【００７２】
図５Ａから分かるように、アッパー５０５は、アッパー５０５の甲部内の複数のテープと、アッパー５０５のかかと部内に延びる別の複数のテープとを含む、テープ部分５１０を含む。
【００７３】
さらに、アッパー５０５は、インソールの一部を形成するメッシュ材料５４０を含む。メッシュ材料は、ポリエステルから構成されたニットである「エックステックス」と呼ばれる材料を含む。エックステックス材料は、ＰＵコーティングされた糸を有することもできる。メッシュをアッパー５０５のかかと部内および／または前足部、たとえばつま先部内に設け得ることも考えられる。
【００７４】
二次元アッパー５０５が三次元アッパー５０５に形成されるとき、参照番号５２０および５３０それぞれによって示すテープは、たとえば平坦な二重縫いによって、アッパー５０５の中足部ソール領域内で互いに連結される。
【００７５】
さらに、図５Ａの前面図から分かるように、参照番号５５０によって示す２本のテープは、中足部領域内ではテープの下を通っている。テープ５５０は、図５Ａ内の点線によって示される縫い付け線に沿って中足領域内で内側からテープに縫い付けられる。
【００７６】
図５Ｂの後面図に示すように、アッパー５０５は、内側ライニング５５０を備える。このライニングは、アッパー５０５の向上した安定性を提供する。
【００７７】
図に示し、または上記で説明した構成要素の異なる配置、ならびに図示も説明もしていない構成要素およびステップが、可能である。同様に、いくつかの特徴および副組み合わせが有用であり、他の特徴および副組み合わせを参照することなく使用されてよい。本発明の実施形態は、制限する目的ではなく例示する目的で説明されてきており、代替の実施形態が、この特許の読み手に明白になるであろう。
【００７８】
したがって、本発明は、上記で説明し、または図に示す実施形態に限定されず、さまざまな実施形態および改変形態が、以下の特許請求の範囲から逸脱することなく加えられてよい。
【００７９】
以下では、さらなる実施形態が、本発明の理解を容易にするために説明される。
１．靴用、特に運動靴用のアッパー（１０５；３０５；４０５；５０５）であって、
ａ．アッパー（１０５；３０５；４０５）の少なくとも５０％を覆う少なくとも１つのテープ部分（１１０ａ〜ｂ；２１０ａ〜ｂ；３１０；４１０）を含み、
ｂ．少なくとも１つのテープ部分（１１０ａ〜ｂ；２１０ａ〜ｂ；３１０；４１０）は、複数の連結されたテープを含む、靴用アッパー（１０５；３０５；４０５；５０５）。
２．テープが、次のプロセス：糊付け、溶接、縫い付けのうちの少なくとも１つによって連結され、好ましくは、それらの縁上で互いにジグザグに縫い付けられる、例１に記載のアッパー（１０５；３０５；４０５；５０５）。
３．靴用、特に運動靴用のアッパー（２０５）であって、
ａ．複数の連結されたテープを含む、少なくとも１つのテープ部分（１１０ａ〜ｂ；２１０ａ〜ｂ；３１０；４１０）を含み、
ｂ．テープは、それらの縁上で互いにジグザグに縫い付けられる、靴用アッパー（２０５）。
４．少なくとも１つのテープ部分（１１０ａ〜ｂ；２１０ａ〜ｂ；３１０；４１０）が、アッパーの少なくとも５０％を覆う、例３に記載のアッパー（２０５）。
５．各テープが、実質的に平行な縁を含む、例１から４のいずれかに記載のアッパー（１０５；２０５；３０５；４０５；５０５）。
６．少なくとも２本のテープが、互いに重複する、例１から５のいずれかに記載のアッパー（１０５；２０５；３０５；４０５；５０５）。
７．テープ部分（１１０ａ〜ｂ；２１０ａ〜ｂ；３１０；４１０）が、アッパー（１０５；２０５；３０５；４０５；５０５）の甲部内に延びる、例１から６のいずれかに記載のアッパー（１０５；２０５；３０５；４０５；５０５）。
８．テープ部分（１１０ａ〜ｂ；２１０ａ〜ｂ；３１０；４１０）が、アッパーの内縁（２２７）からアッパーの外縁（２２５）まで延びる、例１から７のいずれかに記載のアッパー（１０５；２０５；３０５；４０５；５０５）。
９．テープ部分（１１０ａ〜ｂ；２１０ａ〜ｂ；３１０；４１０）が、足の下にも延びるように適合される、例１から８のいずれかに記載のアッパー（１０５；２０５；３０５；４０５；５０５）。
１０．少なくとも１つのテープ部分（１１０ａ〜ｂ；２１０ａ〜ｂ；３１０；４１０）が、アッパーのかかと部内に配置され、好ましくは、かかと部を包含する、例１から９のいずれかに記載のアッパー（１０５；２０５；３０５；４０５；５０５）。
１１．テープ部分（１１０ａ〜ｂ；２１０ａ〜ｂ；３１０；４１０）が、１０°から９０°の間の角度で互いに連結された少なくとも２本のテープを含む、例１から１０のいずれかに記載のアッパー（１０５；２０５；３０５；４０５；５０５）。
１２．テープ部分（１１０ａ〜ｂ；２１０ａ〜ｂ；３１０；４１０）が、複数の実質的に平行なテープを含む、例１から１１のいずれかに記載のアッパー（１０５；２０５；３０５；４０５；５０５）。
１３．複数の実質的に平行なテープを備えた第１のテープセクション（１１０ａ；２１０ａ）と、複数の実質的に平行なテープを備えた第２のテープセクション（１１０ｂ；２１０ｂ）とを含み、第１のテープセクションと第２のテープセクションとは平行ではない、例１２に記載のアッパー（１０５；２０５；３０５；４０５；５０５）。
１４．複数のテープが、ナイロン、ポリエステル、またはスパンデックス材料を含む、例１から１３のいずれかに記載のアッパー（１０５；２０５；３０５；４０５；５０５）。
１５．テープ部分（１１０ａ〜ｂ；２１０ａ〜ｂ；３１０；４１０）のテープが、３０ｍｍから４０ｍｍ、好ましくは、３５ｍｍから４０ｍｍの幅を有する、例１から１４のいずれかに記載のアッパー（１０５；２０５；３０５；４０５；５０５）。
１６．テープ部分（１１０ａ〜ｂ；２１０ａ〜ｂ；３１０；４１０）のテープが、１〜５ｍｍの厚さを有する、例１から１５のいずれかに記載のアッパー（１０５；２０５；３０５；４０５；５０５）。
１７．テープ部分（１１０ａ〜ｂ；２１０ａ〜ｂ；３１０；４１０）の少なくとも２本のテープが、異なる弾力性を有する、例１から１６のいずれかに記載のアッパー（１０５；２０５；３０５；４０５；５０５）。
１８．テープ部分（１１０ａ〜ｂ；２１０ａ〜ｂ；３１０；４１０）の少なくとも１本のテープが、少なくとも１本の隆起線を含む、例１から１７のいずれかに記載のアッパー（１０５；２０５；３０５；４０５；５０５）。
１９．少なくとも１つのテープ部分（１１０ａ〜ｂ；２１０ａ〜ｂ；３１０；４１０）が、アッパーの内側の四分の一部分内に、アッパーの残りの部分と比較して異なる弾力性を提供するように適合される、例１から１８のいずれかに記載のアッパー（１０５；２０５；３０５；４０５；５０５）。
２０．アッパーが、内側ライニング（５５０）をさらに備える、例１から１９のいずれかに記載のアッパー（１０５；２０５；３０５；４０５；５０５）。
２１．テープ部分（１１０ａ〜ｂ；２１０ａ〜ｂ；３１０；４１０）のテープが、好ましくはホットメルト層フィルムによって、内側ライニング（５５０）に取り付けられる、例２０に記載のアッパー（１０５；２０５；３０５；４０５；５０５）。
２２．アッパーが、好ましくは熱可塑性ポリウレタン材料（ＴＰＵ）を含む外側層をさらに含む、例１から２１のいずれかに記載のアッパー（１０５；２０５；３０５；４０５；５０５）。
２３．外側層が、０．１ｍｍから１ｍｍ、好ましくは、０．２０ｍｍから０．４０ｍｍ、より好ましくは、０．２５ｍｍから０．３５ｍｍの厚さを含む、例２２に記載のアッパー（１０５；２０５；３０５；４０５；５０５）。
２４．外側層を含むアッパーの第１の部分が、外側層を有しないアッパーの第２の部分とは異なる弾力性を提供するように適合される、例２２または２３に記載のアッパー（１０５；２０５；３０５；４０５；５０５）。
２５．アッパーのつま先部（３４０；５４０）内にメッシュ材料をさらに含む、例１から２４のいずれかに記載のアッパー（１０５；２０５；３０５；４０５；５０５）。
２６．アッパーが紐無しである、例１から２５のいずれかに記載のアッパー（１０５；２０５；３０５；４０５；５０５）。
２７．例１から２６のいずれかに記載のアッパー（１０５；２０５；３０５；４０５；５０５）を備える、靴（１００；２００；３００；４００）。
２８．靴が、前足部ボードラスト構造である、例２７に記載の靴（１００；２００；３００；４００）。
２９．テープ部分（１１０ａ〜ｂ；２１０ａ〜ｂ；３１０；４１０）が、靴の前足部インソールボードに取り付けられる、例２７または２８に記載の靴（１００；２００；３００；４００）。
３０．靴が、透明アウトソールを備える、例２７から２９のいずれかに記載の靴（１００；２００；３００；４００）。
【符号の説明】
【００８０】
１００、２００、３００、４００  靴
１０５、２０５、３０５、４０５、５０５  アッパー
１１０、２１０、３１０、４１０  テープ部分
１１０ａ、２１０ａ  第１のテープセクション
１１０ｂ、２１０ｂ  第２のテープセクション
１２５、２２５  外縁
１３０  かかとストリップ
２２７  内縁
３０７  透明ソール
３４０  つま先部
４５０  ソール
４６０  かかと支持要素
５２０、５３０  テープ
５４０  メッシュ材料
５５０  内側ライニング
【図１Ａ】
2018057836.tif 000003
【図１Ｂ】
2018057836.tif 000004
【図２Ａ】
2018057836.tif 000005
【図２Ｂ】
2018057836.tif 000006
【図３Ａ】
2018057836.tif 000007
【図３Ｂ】
2018057836.tif 000008
【図４】
2018057836.tif 000009
【図５Ａ】
2018057836.tif 000010
【図５Ｂ】
2018057836.tif 000011
【外国語明細書】
2018057836000001.pdf